(57)【特許請求の範囲】
【請求項１】
複数本のゴルフクラブを収容する有底筒状のバッグ本体と、該バッグ本体の口枠に取り付け可能なフードとを備えたゴルフバッグにおいて、前記フードに前記口枠より内側へ窪みながら前記バッグ本体の長手方向に延長する窪み部を設けると共に、長尺クラブのヘッド部分を覆う先端部とシャフト部分を覆う胴部から構成され、前記窪み部に配置されるクラブカバーを設け、該クラブカバーの胴部とフードとに互いを連結する係止手段を設け、該クラブカバーを被せた長尺クラブを前記窪み部に沿わせてフード外側に係止する構成にしたゴルフバッグ。
【請求項２】
複数本のゴルフクラブを収容する有底筒状のバッグ本体と、該バッグ本体の口枠に取り付け可能なフードとを備えたゴルフバッグにおいて、前記フードに前記口枠より内側へ窪みながら前記バッグ本体の長手方向に延長する窪み部を設けると共に、該窪み部の長手方向中央部および上部に係止手段を設け、前記窪み部に配置される長尺クラブに被せたクラブカバーに対して、前記窪み部の長手方向中央部に設けた係止手段により、長尺クラブのシャフト部分を覆う前記クラブカバーの胴部を押さえ付けるとともに、前記窪み部の長手方向上部に設けた係止手段により、長尺クラブのヘッド部分を覆う前記クラブカバーの先端部の根元部分を押さえ付けるようにして、前記クラブカバーを被せた長尺クラブを前記窪み部に沿わせてフード外側に係止する構成にしたゴルフバック。
【請求項３】
前記バッグ本体の口枠に前記長尺クラブのシャフトを保持するホルダーを取り付けた請求項１または２に記載のゴルフバッグ。
【請求項４】
前記バッグ本体の口枠に前記長尺クラブのシャフトをガイドする筒状のガイド部材を摺動可能に設置し、該ガイド部材を前記バッグ本体の長手方向に移動自在に構成した請求項１または２に記載のゴルフバッグ。
【発明の詳細な説明】
【０００１】
【発明の属する技術分野】
本発明は、複数本のゴルフクラブを収納するゴルフバッグに関し、さらに詳しくは、クラブの抜き差しを困難にすることなく、長尺クラブのシャフトを保護することを可能にしたゴルフバッグに関する。
【０００２】
【従来の技術】
一般に、ゴルフバッグにはウッドクラブ、アイアンクラブ、パター等の一連のゴルフクラブが収納される。この一連のゴルフクラブは番手が大きくなるに従ってシャフトの長さが短くなっている。そのため、有底筒状のバッグ内を３〜５室に仕切り、シャフト長さが近いグループ毎に分けて差し込むようにしている。
【０００３】
ところで、ゴルフバッグ本体の丈は概ね一番短いクラブのヘッドが口枠から顔を出す程度が一般的である。これは、バッグ本体の丈を一番短いクラブに合わせると、輸送中にゴルフクラブを保護する一方で、プレー中にはクラブを出し入れし易いからである。また、ゴルフバッグはフードをバッグ本体の口枠に取り付け、このフードによりゴルフクラブのヘッドやシャフト部分を保護したり、固定するようになっている。
【０００４】
しかしながら、最近になってドライバーの長尺化が進み、シャフト長さが４５〜５０インチのものが主流になってきている。そのため、これら長尺クラブと一番短いウェッジアイアン（例えば３５インチ）との差は益々広がっている。このようにシャフト長さが互いに大きく異なっていると、ゴルフバッグの輸送中に短いアイアンクラブのヘッドが長尺クラブのシャフトに衝突し、シャフトを傷付けたり、最悪の場合はシャフトが折損してしまうという問題があった。
【０００５】
【発明が解決しようとする課題】
本発明の目的は、クラブの抜き差しを困難にすることなく、長尺クラブのシャフトを保護することを可能にしたゴルフバッグを提供することにある。
【０００６】
【課題を解決するための手段】
上記目的を達成するための本発明のゴルフバッグは、複数本のゴルフクラブを収容する有底筒状のバッグ本体と、該バッグ本体の口枠に取り付け可能なフードとを備えたゴルフバッグにおいて、前記フードに前記口枠より内側へ窪みながら前記バッグ本体の長手方向に延長する窪み部を設けると共に、長尺クラブのヘッド部分を覆う先端部とシャフト部分を覆う胴部から構成され、前記窪み部に配置されるクラブカバーを設け、該クラブカバーの胴部とフードとに互いを連結する係止手段を設け、該クラブカバーを被せた長尺クラブを前記窪み部に沿わせてフード外側に係止する構成にしたことを特徴とするものである。
【０００７】
また、本発明の他のゴルフバックは、複数本のゴルフクラブを収容する有底筒状のバッグ本体と、該バッグ本体の口枠に取り付け可能なフードとを備えたゴルフバッグにおいて、前記フードに前記口枠より内側へ窪みながら前記バッグ本体の長手方向に延長する窪み部を設けると共に、該窪み部の長手方向中央部および上部に係止手段を設け、前記窪み部に配置される長尺クラブに被せたクラブカバーに対して、前記窪み部の長手方向中央部に設けた係止手段により、長尺クラブのシャフト部分を覆う前記クラブカバーの胴部を押さえ付けるとともに、前記窪み部の長手方向上部に設けた係止手段により、長尺クラブのヘッド部分を覆う前記クラブカバーの先端部の根元部分を押さえ付けるようにして、前記クラブカバーを被せた長尺クラブを前記窪み部に沿わせてフード外側に係止する構成にしたことを特徴とするものである。
【０００８】
このようにフードにバッグ本体の長手方向に延長する窪み部を設けると共に、長尺クラブのヘッド部分を覆う先端部とシャフト部分を覆う胴部から構成され、前記窪み部に配置されるクラブカバーを設け、該クラブカバーの胴部とフードとに互いを連結する係止手段を設け、或いは、フードにバッグ本体の長手方向に延長する窪み部を設けると共に、該窪み部の長手方向中央部および上部に係止手段を設けて、長尺クラブを該窪み部に沿わせてフード外側に係止する構成にすることにより、複数本のゴルフクラブの中に例えば４５〜５０インチの長尺クラブが存在する場合、アイアンクラブやパター等の短いクラブをフード内側に格納する一方で、任意の長尺クラブだけを窪み部に沿わせてフード外側に係止することができる。そのため、ゴルフバッグの輸送中に短尺クラブのヘッドが長尺クラブのシャフトに直接衝突することを防止し、該長尺クラブのシャフトを保護することができる。また、バッグ本体の丈は概ね一番短いクラブのヘッドが口枠から突出する程度に設定可能であるので、クラブの抜き差しを困難にすることはない。
【０００９】
ここで、前記バッグ本体の口枠に前記長尺クラブのシャフトを保持するホルダーを取り付けることもできる。また、前記バッグ本体の口枠に前記長尺クラブのシャフトをガイドする筒状のガイド部材を摺動可能に設置し、該ガイド部材を前記バッグ本体の長手方向に移動自在に構成することもできる。
【００１０】
【発明の実施の形態】
以下、本発明の構成について添付の図面を参照して詳細に説明する。
図１〜図４は、本発明の第１実施形態からなるゴルフバッグを例示するものである。図において、ゴルフバッグは複数本のゴルフクラブを収容する有底筒状のバッグ本体１と、該バッグ本体１の口枠２に取り付け可能なフード１０とを備えている。バッグ本体１の丈は少なくとも一番短いクラブのヘッドが口枠２から突出する高さに設定されている。このバッグ本体１は側部に各種のポケット３ａ〜３ｄや用具入れ４を備えている。また、バッグ本体１の上部には把手５が取り付けられている。
【００１１】
図２（ａ），（ｂ）に示すように、フード１０には口枠２より内側へ窪みながらバッグ本体１の長手方向に延長する窪み部１１が設けられている。この窪み部１１は少なくとも１本、より好ましくは１〜２本、最も好ましくは１本の長尺クラブを配置可能な大きさを有している。窪み部１１にはクラブカバー１２を被せた任意の長尺クラブＷが配置される。このクラブカバー１２は長尺クラブのヘッド部分を覆う先端部１２ａとシャフト部分を覆う胴部１２ｂから構成されている。
【００１２】
クラブカバー１２の胴部１２ｂ及びフード１０には、長尺クラブの係止手段として、複数対のバックル付きベルト１３が窪み部１１に沿って取り付けられている。そのため、クラブカバー１２を被せた長尺クラブＷを窪み部１１内に配置した後、複数対のバックル付きベルト１３をそれぞれ連結することにより、長尺クラブＷを窪み部１１に沿わせてフード１０の外側に係止することができる。なお、バッグから長尺クラブＷだけを取り出す場合は、図３に示すように、胴部１２ｂを長尺クラブＷの回りに巻き付け、胴部１２ｂに付属のバックル付きベルト１３を互いに連結することにより、クラブカバー１２を単独のカバーとして使用することが可能である。
【００１３】
図４に示すように、バッグ本体１の口枠２には複数本のゴルフクラブをシャフト長さが近いグループ毎に分けて差し込むために複数枚の仕切り板６が設けられている。また、バッグ本体の口枠２において窪み部１１に対応する位置には長尺クラブＷのシャフトを保持する環状のホルダー７が取り付けられている。このホルダー７は窪み部１１に配置される長尺クラブＷのシャフト位置を固定するものである。但し、ホルダー７は必ずしも設ける必要はない。
【００１４】
上述のように構成されるゴルフバッグでは、複数本のゴルフクラブの中に例えば４５〜５０インチの長尺クラブが存在する場合、アイアンクラブやパター等の短いクラブをフード１０の内側に格納する一方で、長尺クラブＷだけを窪み部１１に沿わせてフード１０の外側に係止する。このように長尺クラブＷを他のクラブとは別にフード１０の外側にしっかりと固定することにより、ゴルフバッグが輸送中に転倒した場合であっても短尺クラブのヘッドが長尺クラブＷのシャフトに直接衝突することを防止し、長尺クラブＷのシャフトを保護することができる。また、バッグ本体１の丈は概ね一番短いクラブのヘッドが口枠２から突出する程度に設定してあるので、プレー中におけるクラブの抜き差しが簡単である。
【００１５】
更に、フード１０の大きさは長尺クラブＷ以外のゴルフクラブに対応する高さに設定すれば良いので、フード１０のコンパクト化が可能である。その結果、フード１０内における短尺クラブの動きを規制し、これら短尺クラブがバッグや他のクラブを傷付けることを防止できる。また、フード１０を長尺クラブＷ以外のゴルフクラブに合わせてコンパクト化すると、例えばゴルフバッグを車のトランクに入れる際に長尺クラブＷが妨げになる場合に、この長尺クラブＷだけを簡単に取り外してトランク内に挿入することが可能である。なお、取り外した長尺クラブＷはトランク内に斜めに配置するように収納すれば良い。
【００１６】
図５はフード構造の変形例である。図５に示すように、フード１０には口枠２より内側へ窪みながらバッグ本体１の長手方向に延長する窪み部１１が設けられていると共に、長尺クラブの係止手段として、窪み部１１の長手方向中央部に跨がる帯材１４と、窪み部１１の上部に跨がるバックル付きベルト１５とが設けられている。窪み部１１には従来から使用されているクラブカバー１６を被せた任意の長尺クラブＷが配置される。帯材１４は一方の端部が窪み部１１の縁部でフード１０に縫合され、他方の端部が面ファスナー等によりフード１０に係合するようになっている。そのため、図６に示すように、クラブカバー１６を被せた長尺クラブＷを窪み部１１内に配置した後、長尺クラブＷを押さえ付けるように帯材１４の端部をフード１０に係合させ、かつバックル付きベルト１５を互いに連結することにより、長尺クラブＷを窪み部１１に沿わせてフード１０の外側に係止することができる。
【００１７】
このように長尺クラブの係止手段の構造は特に限定されるものではなく、バックルや面ファスナー等の連結部材を用いて長尺クラブの出し入れを簡単に行うことを可能にするものであれば良い。
【００１８】
図７は、参考形態からなるゴルフバッグを例示するものである。なお、図７において、図１〜４と同一物には同一符号を付してその部分の詳細な説明は省略する。図において、ゴルフバッグは複数本のゴルフクラブを収容する有底筒状のバッグ本体１とを備えている。このバッグ本体１の口枠２は適宜のフードを取り付け可能になっている。また、バッグ本体１の丈は少なくとも一番短いクラブのヘッドが口枠２から突出する高さに設定されている。
【００１９】
バッグ本体１の口枠２には長尺クラブのシャフトをガイドする筒状のガイド部材８が取り付けられている。口枠２はガイド部材８の取り付け位置においてブラケット状に内側へ突き出すように成形されている。一方、ガイド部材８は金属やプラスチック等の硬質な材料から成形されている。このガイド部材８は口枠２に対して摺動可能に設置され、バッグ本体１の長手方向の任意の高さまで延長するようになっている。ガイド部材８の内径は３０〜５０ｍｍの範囲にすることが好ましい。また、ガイド部材８は口枠２の高さを最下点とし、この口枠２から３０〜５０ｃｍの高さの最上点まで延長可能に構成し、しかも最下点から最上点までの範囲において任意の高さで係止可能に構成することが好ましい。このようなガイド部材８はゴルフバッグにつき１個乃至３個、より好ましくは１個乃至２個、最も好ましくは１個設置すれば良い。
【００２０】
上述のように構成されるゴルフバッグでは、複数本のゴルフクラブの中に例えば４５〜５０インチの長尺クラブが存在する場合、ガイド部材８を介してバッグ本体１に長尺クラブを差し込み、ゴルフバッグの輸送時にガイド部材８を上方に突出させた状態にすることにより、ゴルフバッグが輸送中に転倒した場合であっても長尺クラブのシャフトを短いクラブのヘッドから保護することができる。また、バッグ本体１の丈は概ね一番短いクラブのヘッドが口枠２から突出する程度に設定してあるので、プレー時にガイド部材８を口枠２の高さまで移動させれば、クラブの抜き差しを容易に行うことができる。
【００２１】
なお、本発明では上記参考形態からなるゴルフバッグにおけるバック本体の長手方向に移動自在のガイド部材を、前述の第１実施形態からなるゴルフバッグに設けても良い。この場合、ガイド部材は勿論フードの窪み部に対応する位置に設けるようにする。このように第１実施形態のフード構造に参考形態のガイド部材を組み合わせることにより、長尺クラブの保護効果を更に向上することができる。
【００２２】
【発明の効果】
以上説明したように本発明によれば、複数本のゴルフクラブを収容する有底筒状のバッグ本体と、該バッグ本体の口枠に取り付け可能なフードとを備えたゴルフバッグにおいて、フードに口枠より内側へ窪みながらバッグ本体の長手方向に延長する窪み部を設けると共に、長尺クラブのヘッド部分を覆う先端部とシャフト部分を覆う胴部から構成され、前記窪み部に配置されるクラブカバーを設け、該クラブカバーの胴部とフードとに互いを連結する係止手段を設け、該クラブカバーを被せた長尺クラブを前記窪み部に沿わせてフード外側に係止する構成にすることにより、ゴルフバッグが輸送中に転倒した場合であっても長尺クラブのシャフトを保護することができる。
【００２３】
また、複数本のゴルフクラブを収容する有底筒状のバッグ本体と、該バッグ本体の口枠に取り付け可能なフードとを備えたゴルフバッグにおいて、前記フードに前記口枠より内側へ窪みながら前記バッグ本体の長手方向に延長する窪み部を設けると共に、該窪み部の長手方向中央部および上部に係止手段を設け、前記窪み部に配置される長尺クラブに被せたクラブカバーに対して、前記窪み部の長手方向中央部に設けた係止手段により、長尺クラブのシャフト部分を覆う前記クラブカバーの胴部を押さえ付けるとともに、前記窪み部の長手方向上部に設けた係止手段により、長尺クラブのヘッド部分を覆う前記クラブカバーの先端部の根元部分を押さえ付けるようにして、前記クラブカバーを被せた長尺クラブを前記窪み部に沿わせてフード外側に係止する構成にすることにより、上記と同様に長尺クラブのシャフトを保護することができる。
【図面の簡単な説明】
【図１】本発明の第１実施形態からなるゴルフバッグを示す斜視図である。
【図２】本発明の第１実施形態のゴルフバッグにおけるフード構造を示すものであり、（ａ）はクラブカバーの斜視図、（ｂ）はフードの斜視図である。
【図３】図２（ａ）のクラブカバーを単独のカバーとして使用した状態を示す斜視図である。
【図４】本発明の第１実施形態のゴルフバッグの口枠部分を示す上面図である。
【図５】本発明の第１実施形態のゴルフバッグにおけるフード構造の変形例を示すものであり、（ａ）はクラブカバーの斜視図、（ｂ）はフードの斜視図である。
【図６】図５（ａ）のクラブカバーを図５（ｂ）のフードに取り付けた状態を示す斜視図である。
【図７】参考形態からなるゴルフバッグを示す斜視図である。
【符号の説明】
１  バッグ本体
２  口枠
７  ホルダー
８  ガイド部材
１０  フード
１１  窪み部
１２  クラブカバー（係止手段）
１３，１５  バックル付きベルト（係止手段）
１４  帯材（係止手段）
Ｗ  長尺クラブ
【図１】
0004082817.tif 000002
【図２】
0004082817.tif 000003
【図３】
0004082817.tif 000004
【図４】
0004082817.tif 000005
【図５】
0004082817.tif 000006
【図６】
0004082817.tif 000007
【図７】
0004082817.tif 000008